(57)【要約】      （修正有）【課題】回生ブレーキを有する車両のブレーキペダル操作特性曲線修正方法を提供する。【解決手段】ブレーキシステムは、電気機械式のアクチュエータと液圧コンポーネントによって液圧接続された摩擦ブレーキと、回生ブレーキとを有する。ブレーキペダル特性曲線は、電気機械式のアクチュエータのストロークに依存する、液圧コンポーネントにおける圧力の関数である。ブレーキペダル特性曲線はアイドルストロークと剛性係数とを有する。この方法は次の各ステップを有する。動的に判定された基準に従って、特に事前定義された回数のブレーキシステムの操作の後に、電気機械式のアクチュエータによってブレーキペダル特性曲線の測定が実行され、このときブレーキ作用の少なくとも一部が摩擦ブレーキによって生成され、測定されたブレーキペダル特性曲線が保存され、測定されたブレーキペダル特性曲線によってブレーキペダル特性曲線が置き換えられる。【選択図】図４
2020185984.tif 000002
【特許請求の範囲】
【請求項１】
車両（１０）のブレーキシステム（２５）を操作するためのブレーキペダル（１２）についてのブレーキペダル特性曲線（３０）を修正する方法において、前記ブレーキシステム（２５）は車両（１０）のためのブレーキ作用を生成するためにセットアップされ、
前記ブレーキシステム（２５）は、
液圧コンポーネント（２２）によって電気機械式のアクチュエータ（２１）と液圧接続された摩擦ブレーキ（２０）と、
回生ブレーキ（１５）とを有し、
前記ブレーキペダル特性曲線（３０）は前記電気機械式のアクチュエータ（２１）のストロークに依存する前記液圧コンポーネント（２２）における圧力の関数であり、アイドルストロークと剛性係数とを有し、
前記方法は次の各ステップを有し、
事前定義された回数の前記ブレーキシステム（２５）の操作の後に前記電気機械式のアクチュエータ（２１）によってブレーキペダル特性曲線（３０）の測定が実行され、このときブレーキ作用の少なくとも一部が前記摩擦ブレーキ（２０）によって生成されるとともに残りの部分が前記回生ブレーキ（１５）によって生成され、
測定されたブレーキペダル特性曲線（３１）によって前記ブレーキペダル特性曲線（３０）が置き換えられる方法。
【請求項２】
さらに別のステップを有し、
前記測定されたブレーキペダル特性曲線（３１）が保存される、請求項１に記載の方法。
【請求項３】
さらに別のステップを有し、
前記車両（１０）が動かされ、前記車両（１０）のためのブレーキ作用が生成されたとき、実行されたブレーキプロセスの回数を含むカウンタが増分され、
このとき多くともブレーキ作用の一部は前記摩擦ブレーキ（２０）によって生成される、請求項１または２に記載の方法。
【請求項４】
さらに別のステップを有し、
前記車両（１０）が動かされ、前記車両（１０）のためのブレーキ作用が生成されたときに前記カウンタがゼロにセットされ、
このときブレーキ作用全体が前記摩擦ブレーキ（２０）により生成される、請求項１または２に記載の方法。
【請求項５】
さらに別のステップを有し、
前記車両（１０）がスイッチオフされたときに不揮発性メモリ（３７）に前記カウンタが保存され、
前記車両（１０）がスイッチオンされたときに前記不揮発性メモリ（３７）から前記カウンタが読み込まれる、請求項１から４のいずれか１項に記載の方法。
【請求項６】
前記車両（１０）が停止しているときに、前記ブレーキペダル特性曲線（３０）の測定が前記電気機械式のアクチュエータ（２１）によって実行される、請求項１または２に記載の方法。
【請求項７】
前記ブレーキペダル特性曲線（３０）の測定は、前記車両（１０）が停止しているときの前記ブレーキペダル特性曲線（３０）の測定にあたって、前記車両（１０）が動いているときの測定と比べたときのシステム上の差異を考慮する、請求項６に記載の方法。
【請求項８】
前記ブレーキペダル特性曲線（３０）がヒステリシスを有する、請求項１から７のいずれか１項に記載の方法。
【請求項９】
前記測定されたブレーキペダル特性曲線（３０）と前記保存されているブレーキペダル特性曲線（３１）の間の差異（３３）が判定され、
前記差異（３３）に依存して前記ブレーキシステムの操作の事前定義された回数が変更される、請求項１から８のいずれか１項に記載の方法。
【請求項１０】
前記ブレーキシステムのパラメータの長期的な変化が短期的な変化よりも強く考慮される、請求項１から９のいずれか１項に記載の方法。
【請求項１１】
請求項１から１０のいずれか１項に記載の方法を実施するためにセットアップされた車両（１０）の制御装置（３５）。
【請求項１２】
請求項１１に記載の制御装置（３５）を有する車両。
【請求項１３】
車両（１０）のブレーキペダル特性曲線（３０）を決定するための、請求項１から１０のいずれか１項に記載の方法の利用法。
【請求項１４】
請求項１１に記載の制御装置（３５）で実行されたときに、請求項１から１０のいずれか１項に記載の方法を実施するように前記制御装置（３５）に指示するプログラム要素。
【請求項１５】
請求項１４に記載のプログラム要素が保存されているコンピュータ読み取り可能な媒体。
【発明の詳細な説明】
【技術分野】
【０００１】
本発明は、回生ブレーキを有する車両のブレーキシステムに関する。特に本発明は、ブレーキシステムのためのブレーキペダル特性曲線を修正する方法に関する。さらに本発明は、制御装置、利用法、プログラム要素、およびコンピュータ読み取り可能な媒体に関する。
【背景技術】
【０００２】
車両では、特に電動車両やハイブリッド車両では、エネルギー効率がいっそう意義を増している。それ故に、ブレーキをかけたときに電動車両やハイブリッド車両の電気モータをできる限り頻繁に発電機として作動させ、それに伴ってブレーキプロセスをエネルギー回収のために利用することが試みられている。このことはしばしば回生とも呼ばれる。多くのケースにおいて、ブレーキペダルの操作によってブレーキングを開始しようとする運転者に、従来型の液圧式の摩擦ブレーキによってブレーキをかけたときに受けるようなブレーキペダル感覚を伝えることが試みられている。それにより、ブレーキ作用が類似するときに運転者がそのつど類似する、ないしは同等のブレーキペダル感覚を受けることが実現される。この目的のために車両に、たとえば制御システムに、当該ブレーキシステムについてのブレーキペダル特性曲線が格納される。しかし、摩擦ブレーキのブレーキ機構や液圧系は車両の耐用期間を通じて変化していき、そのため、格納されているブレーキペダル特性曲線が、摩擦ブレーキの現実のブレーキペダル特性曲線と一致しなくなる。したがって少なくともいくつかの車両では、摩擦ブレーキだけが減速のために寄与するブレーキングを定期的に実行することができる。その際にブレーキペダル特性曲線の測定を実行し、ブレーキペダル特性曲線を更新することができる；というのも、そうしないとブレーキペダル感覚がブレーキ作用に適合しなくなるからである。すなわちブレーキペダル特性曲線の頻繁な測定によって、格納されているブレーキペダル特性曲線と現実のブレーキペダル特性曲線との間の大筋での一致を実現することができる。しかし、特に電動車両やハイブリッド車両ではこれと逆の事情があり、測定のために必要なブレーキをかけることで潜在的な回生エネルギーが失われ−すなわちブレーキでの摩擦によって−、したがって摩擦ブレーキによる減速ができる限り稀に行われるほうがよい。
【発明の概要】
【発明が解決しようとする課題】
【０００３】
本発明の課題は、一方における格納されているブレーキペダル特性曲線と現実のブレーキペダル特性曲線の間のできる限り少ない差異と、他方におけるできる限り稀な摩擦ブレーキによるブレーキングとの間のバランスをもたらす方法を提供することにある。
【課題を解決するための手段】
【０００４】
この課題は独立請求項の対象物によって解決される。本発明の発展例は、従属請求項および以下の説明から明らかとなる。
【０００５】
第１の態様は、車両のブレーキシステムを操作するためのブレーキペダルについてのブレーキペダル特性曲線を修正する方法に関し、ブレーキシステムは車両のためのブレーキ作用を生成するためにセットアップされる。ブレーキシステムは、液圧コンポーネントによって電気機械式のアクチュエータと液圧接続された摩擦ブレーキと、回生ブレーキとを有する。ブレーキペダル特性曲線は、電気機械式のアクチュエータのストロークに依存する、液圧コンポーネントにおける圧力の関数である。ブレーキペダル特性曲線はアイドルストロークと剛性係数とを有する。
【０００６】
ブレーキペダル特性曲線は、ブレーキペダルのペダルストロークに対する、ブレーキペダルで感知することができる圧力を反映する特性曲線である。ブレーキペダル特性曲線は、たとえば運転者によってブレーキペダル感覚として感知することができる。ブレーキペダル特性曲線は車両の単一の（部分）システムにおいて、たとえばブレーキペダルシミュレータにおいて、実装されていてよい。ブレーキペダル特性曲線は、車両の複数の（部分）システムの協同作用によって、たとえばブレーキ倍力装置、ブースタ、ブレーキペダルシミュレータ、および／または電気機械式のアクチュエータなどの（部分）システムのうちの少なくとも１つにおいて、実装されていてもよい。それに応じてブレーキペダル特性曲線は単一の（部分）システムに格納されていてよく、あるいは複数の（部分）システムに格納されていてもよい。車両のためのブレーキ作用を生起するために、ブレーキペダルによって車両のブレーキシステムが操作される。
【０００７】
車両はたとえば陸上走行車両であってよく、特に乗用車、トランスポータ、トラック、陸上用の専用車両、または水陸両用の車両であってよい。車両は電動車両またはハイブリッド車両であってよい。車両は少なくとも１つの大型の電気モータを含むことができる。大型の電気モータは、車両を動かすのに寄与する電気モータである。このような種類の大型の電気モータは高い回生ポテンシャルを有することができ、すなわち、ブレーキプロセスのときのエネルギー回収に主要な貢献を果たすことができる。
【０００８】
ブレーキシステムの摩擦ブレーキは、摩擦によって車両の減速に寄与するブレーキである。摩擦ブレーキは、電気機械式のアクチュエータによって少なくとも部分的に操作することができる。電気機械式のアクチュエータは制御システムを通じて制御することができ、たとえばブレーキバイワイヤシステムの一部であってよい。摩擦ブレーキは液圧コンポーネントによって電気機械式のアクチュエータと液圧接続される。液圧コンポーネントは、たとえば各々の電気機械式のアクチュエータがそれぞれ車両のホイールと接続されるケースでは、単純な液圧配管であってよい。液圧コンポーネントは多重回路ブレーキシステムを含むことができ、および／または多重回路ブレーキシステムの一部であってよい。いくつかの実施形態では液圧コンポーネントは、たとえばブレーキペダルと接続されたマスタブレーキシリンダを介して、ブレーキペダルと接続されていてよい。
【０００９】
ブレーキシステムの回生ブレーキは、車両を動かすために寄与する少なくとも１つの電気モータを発電機として作動させるブレーキである。回生ブレーキは制御システムを通じて制御することができ、たとえばブレーキバイワイヤシステムの一部であってよい。ブレーキングの際に車両のためのブレーキ作用を生成するために、回生ブレーキだけを使用することができ、または摩擦ブレーキだけを使用することができ、またはこの両方の部分ブレーキシステムを原則として自由に選択可能な比率で使用することができる。それぞれの部分ブレーキシステムへのブレーキ作用の配分は、たとえば所望の減速、または走行状況、ブレーキアシスト−たとえばＡＢＳ（アンチロックシステム）やＥＳＣ（エレクトロニックスタビリティコントロール）−が使用されるべきか、および／または電気モータと部分ブレーキシステムがどのように車両に実装されているかに依存していてよい。
【００１０】
１つの実施形態では、回生ブレーキに代えて、またはこれに加えてモータブレーキ、渦電流ブレーキ、またはこれらに類するブレーキを有するブレーキシステムに、本発明の少なくとも一部を適用することが可能であり、このことは少なくともいくつかのトラックの場合に該当する。このようなシステムが関与している場合にも、ブレーキプロセスに占める摩擦ブレーキの割合を低減することができ、特定の減速についてそのつど類似するブレーキペダル感覚が得られるように保たれる。
【００１１】
ブレーキペダル特性曲線は、電気機械式のアクチュエータのストロークに依存する、液圧コンポーネントにおける圧力の関数である。すなわちブレーキペダル特性曲線−およびこれに伴っていわゆるブレーキペダル感覚−は、液圧コンポーネントでの圧力状況に呼応し、および／または液圧コンポーネントにおける圧力状況の一種の「模倣」である。単純化して表現すると、たとえば純粋に液圧式のブレーキ（場合によりサーボブレーキ設備を含む）が操作された場合に運転者が受けるはずのブレーキペダル感覚が運転者に伝えられるべきである。この目的のために車両に、たとえば制御システムに、当該ブレーキシステムについてのブレーキペダル特性曲線が格納される。ブレーキペダル特性曲線はたとえば関数として格納されていてよく、および／またはそれぞれの間で補間がなされる補間点の集合として格納される。ブレーキペダル特性曲線は、ブレーキシステムの「旧来型の」ｐＶ特性曲線（圧力・容積特性曲線）に類似し得る。ブレーキペダル特性曲線はアイドルストロークと剛性係数とを有する。アイドルストロークは、オリフィス穴が閉じられる前のブレーキ作用が中でまだ生じない、純粋に液圧式のブレーキシステムが有するアイドルストロークに相当する。剛性係数は、事前定義された個所での、たとえばマスタブレーキシリンダで測定される圧力の上方での、またはおよそ１０バール近辺の圧力での、あるいはたとえば液圧コンポーネントで測定される低い圧力での（たとえば約５バール）、ブレーキペダル特性曲線の勾配にほぼ相当する。
【００１２】
このようなブレーキペダル特性曲線がブレーキペダルシミュレータに適用される。ブレーキペダルシミュレータはたとえば独立した部材として製作されていてよく、ばね、機械的な抵抗（たとえば緩衝部材）、および／またはその他の部材を含むことができる。ブレーキペダルシミュレータは車両のサーボブレーキ設備の一部として製作されていてもよい。すなわち、ブレーキペダルがもはや直接的にブレーキシステムの液圧コンポーネントに対してだけ作用するのではなく、ブレーキペダルシミュレータを通じてブレーキシステムを制御する。それに伴い、特定の減速をするときのブレーキペダル感覚は実質的に、純粋に摩擦ブレーキによって、または純粋に回生ブレーキによって、またはこれらのブレーキの「ミキシング」によって車両が減速されるときのブレーキペダル感覚であり得る。ただし、それでもブレーキペダル感覚は（液圧式の）摩擦ブレーキないし液圧コンポーネントにおける圧力状況に即しているべきである；このことは、ブレーキペダル特性曲線とブレーキペダルシミュレータによって実現される。
【００１３】
ブレーキペダル特性曲線を修正する方法は次の各ステップを有する：
−事前定義された回数のブレーキシステムの操作の後に電気機械式のアクチュエータによってブレーキペダル特性曲線の測定が実行され、このときブレーキ作用の少なくとも一部が摩擦ブレーキによって生成されるとともに残りの部分が回生ブレーキによって生成され、
−任意選択のステップとして：測定されたブレーキペダル特性曲線が保存され、
−測定されたブレーキペダル特性曲線によってブレーキペダル特性曲線が置き換えられる。
【００１４】
ブレーキペダル特性曲線は、電気機械式のアクチュエータのストロークに依存する液圧コンポーネントにおける圧力の関数であるので、ブレーキペダル特性曲線の測定−「剛性決定」とも呼ぶ−は１つのセンサ（または複数のセンサ）によって、アクチュエータストロークと液圧コンポーネントで実行することができる。電気機械式のアクチュエータとブレーキペダルの間に液圧結合が存在するブレーキシステムでは、アクチュエータストロークのセンサの代替または追加として、ブレーキペダルの１つのセンサ（または複数のセンサ）を利用することもできる。測定時には、事前定義された補間点で、および／または連続的に、電気機械式のアクチュエータないしブレーキペダルのストロークと、その際に液圧コンポーネントで生じる圧力が決定される。そのために、ブレーキ作用の少なくとも１つの部分が摩擦ブレーキによって生成される。ブレーキ作用の残りの部分は回生ブレーキによって生成される。すなわち剛性決定がしばしば実行されると、摩擦ブレーキで破棄されるエネルギーが回生に利用されない（されなくなる）ので、エネルギー効率が不必要に損なわれる。その一方で、現実の特性曲線と格納されている特性曲線の間の大きい差異を回避するためには、剛性決定をしばしば実行するのが有意義である。これらの相反する要請の間でできる限り良好な妥協を図るために、ブレーキペダル特性曲線の測定は、電気機械式のアクチュエータにより、事前定義された回数のブレーキシステムの操作の後で初めて実行される。
【００１５】
その代替または追加として、別の動的な基準を選択することもでき、それはたとえば最新の測定および／または加速度センサ、高度測定器、温度測定器の履歴をベースとするブレーキ摩減の見積り、および／またはその他の基準である。それに伴い、たとえば市街地交通や山道走行のときには、たとえばほぼ障害のない高速道路走行のときよりも頻繁に剛性決定を行うことができる。ブレーキシステムの事前定義される操作の回数（ないしその他の基準）を動的に判定することができる。たとえばこのような操作の回数は、車両の型式および／または年数および／またはブレーキの構成−たとえばパッド（たとえば“Ｎｏｎ  Ａｓｂｅｓｔｏｓ  Ｏｒｇａｎｉｃ”、ＮＡＯ、その他）、ブレーキシュー、ブレーキピストンのサイズと個数などに関する−に依存していてよい。事前定義される操作の回数は、たとえばストップアンドゴー交通状況や山道走行では少なくすることができ、高速道路走行では増やすことができ、および／またはその他の基準を選択することができる。
【００１６】
ブレーキペダル特性曲線の測定が実行された後、任意選択のステップで、測定されたブレーキペダル特性曲線を保存することができる。たとえばこれを車両の制御システムに格納することができ、それに伴い、回生ブレーキが関与するブレーキングのときにも利用することができる（「回生式のブレーキング」）。その場合、測定された各々のブレーキペダル特性曲線を保存するのではなく、たとえば測定が不安定なときや十分に完全でないケースでは保存しないのが有意義であり得る。たとえば測定が不安定であると認定できるのは、たとえば電磁両立性の障害に原因が帰せられるピークまたはその他の差異が測定された場合である。たとえば測定が十分に完全でないと認定できるのは、アクチュエータストロークのわずかな部分だけが測定され、および／または大きすぎる動的効果が測定された場合である。
【００１７】
最終的に、ブレーキシステムでそれまで利用されていたブレーキペダル特性曲線が、測定されたブレーキペダル特性曲線によって置き換えられる。ここで「置き換えられる」とは多くのケースにおいて、ブレーキペダル特性曲線の劇的な変更が行われることではなく、現実のシステムでどちらかというと複数の小さなステップでブレーキペダル特性曲線を適合化することができる（「穏やかな」または「漸増的な」変更）ことを意味する。測定されたブレーキペダル特性曲線の大きな差異は、少なくとも時折は（ネガティブな）妥当性確認基準として利用することもできる；たとえば、それまで使用されていたブレーキペダル特性曲線からの大きな差異は、測定されたブレーキペダル特性曲線を妥当性がないとして破棄することを必要にする場合がある。測定されたブレーキペダル特性曲線への置き換えについて、その他の事前定義された基準を適用することもできる。このような基準は、たとえば差異が他のメカニズムによって捕捉されたのか否かを考慮することができる。たとえばブレーキシステムのフェーディング（たとえば急峻な山道走行をしたとき）を、車両の他の（部分）システムによって補うことができ、それにより、このような種類の差異の場合にはブレーキペダル特性曲線を適合化する必要はない。このような基準では、たとえば差異が（恐らく、または実際に）ブレーキシステムにおける短期的な変化によって引き起こされたのか、それとも長期的な変化によって引き起こされたのかを考慮することもできる。置き換えは、アイドルストロークと剛性係数を通じての漸増的な適合化を含むことができる。
【００１８】
すなわちこの方法により、車両の動作時間中に多くの場合に、またはしばしば、現実に近いブレーキペダル特性曲線をブレーキシステムで利用することができる。それと同時に、不必要な測定の回数−およびこれに伴って不必要な摩擦ブレーキング−が低減される；それにより、車両のエネルギー効率を明らかに改善することができる。さらに、それによって摩擦ブレーキの負荷、およびそれに伴って摩擦ブレーキの摩耗とその他の摩減を低減することができる。さらに、差異のあるブレーキペダル特性曲線に基づくＮＶＨの影響（ＮＶＨ：Ｎｏｉｓｅ，Ｖｉｂｒａｔｉｏｎ，Ｈａｒｓｈｎｅｓｓ、すなわち騒音、振動、ハーシュネス）を低減することができる。また、それに伴っていわゆるブレーキペダルでのいらだちも回避することができる。このような種類のブレーキペダルでのいらだちは、たとえばペダルの押し返し（たとえば誤った、もしくは不十分に適合化されたブレーキペダル特性曲線の場合）を含むことがあり得る。さらに、たとえば工場を訪れてブレーキ交換をした後、新しいブレーキペダル特性曲線をいっそう迅速に記録して運転者に提供することも可能であり、それにより、いっそう迅速および／または頻繁に現実に即したペダル感覚が提供される。
【００１９】
さらに別の欠点も、説明している方法によって回避することができる：たとえば特にハイブリッド・エレクトリック式のクロスオーバーブレーキシステム（ｈｅｖ−Ｘ）の場合、現実とは相違するブレーキペダル特性曲線−たとえば誤って決定された剛性値−が減速障害につながることがあり、それは、たとえば運転者が一定にブレーキを踏んでいて、発電機が要求されるブレーキ出力を果たすことができなくなっているが、またはそうするべきになっているが、移送されれる容積によっては、判定された液圧コンポーネントの目標圧力を達成できないという状況においてである。たとえばハイブリッド・エレクトリック式のパラレルブレーキシステム（ｈｅｖ−ＩＩ）においても、ブレーキペダル特性曲線が十分に正確に決定されていないと、液圧シリンダのオリフィス穴の過圧が起こることがあり、このことは、たとえば液圧的な短絡、ＮＶＨ問題、および／またはコンポーネント負荷の増大−たとえば液圧ポンプの負荷など−につながりかねない。
【００２０】
１つの実施形態では、本方法はさらに別のステップを有する：
−車両が動かされ、車両のためのブレーキ作用が生成されたとき、実行されたブレーキプロセスの回数を含むカウンタが増分され、このとき多くともブレーキ作用の一部は摩擦ブレーキによって生成される。
【００２１】
たとえばブレーキペダル特性曲線の測定が実行されるべきか否かを示す動的な基準としてのカウンタを、選択することができる。たとえばブレーキペダル特性曲線の測定を実行することができなかったブレーキングが実行されときに、カウンタの計数を増やすことができる。このことがたとえば該当し得るのは、摩擦ブレーキがブレーキングに関与しなかったとき、または十分に関与しなかったときや、ブレーキペダル特性曲線の測定を十分な品質で実行できなかったとき、たとえば測定が不安定なときや、十分に完全でなかったときである。このことは、たとえばコントローラの介入（たとえばブレーキアシストシステムによる）の場合、ダイナミックすぎる走行の場合、および／またはダイナミックすぎるブレーキをかけた場合に該当し得る。カウンタのレベル（カウンタ値）は、たとえばブレーキペダル特性曲線の測定がその後に実行される、ブレーキシステムの操作の事前定義された回数−またはその関数−を反映することができる。ブレーキペダル特性曲線の測定なしにどれだけ多くブレーキがかけられるべきかというこの回数は車両固有であってよく、および／またはたとえば現在および／または過去の交通状況を考慮することができる。初期のカウンタ値は、たとえば車両もしくは車両シリーズの納入前に、車両および／または車両シリーズについて判定することができる。事前定義されたカウンタ値を上回った後に、たとえば回生ブレーキの発電機トルクの制限によって、摩擦ブレーキによる測定を強制することができる。ブレーキペダル特性曲線を測定することができ、利用することができるとただちにカウンタがリセットされて、そのブレーキペダル特性曲線が以後の回生式のブレーキングについて保存される。
【００２２】
１つの実施形態では、本方法はさらに別のステップを有する：
−車両（１０）が動かされ、車両（１０）のためのブレーキ作用が生成されたときにカウンタがゼロにセットされ、このときブレーキ作用全体が摩擦ブレーキ（２０）により生成される。
【００２３】
ブレーキ作用全体が摩擦ブレーキによって生成され、成功した測定を行うことができたとき、カウンタがゼロにセットされる（リセット）。発電機トルクが利用されなかったブレーキングが行われ、それによりブレーキペダル特性曲線の成功した測定を−たとえば摩擦ブレーキのみによって−実行できたときにも、カウンタをリセットすることができる。このことは、車両のエネルギー効率のさらなる改善につながり得る。
【００２４】
１つの実施形態では、本方法はさらに別の次のステップを有する：
−車両がスイッチオフされたときに不揮発性メモリにカウンタが保存され、
−車両がスイッチオンされたときに不揮発性メモリからカウンタが読み込まれる。
【００２５】
それに伴い、「カウンタの最新レベル」という基準を車両の新規スタートを超えて維持できるという利点がある。
【００２６】
１つの実施形態では、車両が停止しているときに、ブレーキペダル特性曲線の測定が電気機械式のアクチュエータによって実行される。１つの実施形態では、ブレーキシステムの操作の事前定義された回数に関わりなく−かつ、たとえばカウンタのレベルにも関わりなく−、ブレーキペダル特性曲線の測定を実行することもできる。
【００２７】
車両が「停止している」のは、車両が止まっており、ないしは停車しており、かつスイッチオフされているときである。このとき運転者は車両から離れることができる。たとえばハンドブレーキおよび／またはオートマチックトランスミッションのＰ位置などの機械的な固定が入っているか否かを（場合より追加的に）チェックすることができる。停止時のこのような測定では、ブレーキペダルの操作が必要ないという利点がある；特に、運転者がブレーキペダルを操作するよう要請されなくてすむ。
【００２８】
この実施形態では、ブレーキペダル特性曲線および特にブレーキシステムの剛性を高い品質で判定できるという利点がある。そのために、たとえば次のような側面が寄与する：
−車両が停止しているときには、左右方向加速度が発生しない。左右方向加速度は、動的効果に基づいて測定の品質を損なうことがある。
−車両が停止しているときには、ブレーキディスクのディスク衝撃がないので、それによっても測定精度の誤差が生じることがない。
−アクチュエータが準静的に作動することができるので、たとえば作動液の質量による、液圧コンポーネントで測定される圧力の動的効果も発生しない。
【００２９】
さらに、車両が動いているときには、ブレーキペダル特性曲線の測定を狂わせる可能性があるさまざまな影響が車両に対して起こり得る。たとえば短時間の影響−たとえば温度やフェーディング−が剛性係数に取り込まれず、もしくはわずかしか取り込まれないのが望ましいことがあり得る。その代わりに、長時間の効果がいっそう正確に、および／またはいっそう早期に測定に取り込まれるのがよい。このことは、静的ないし準静的な測定のときにいっそう高い範囲で該当することがあり得る。車両が停止しているときの測定は、測定を走行中に実行する必要性は比較的稀にしか必要でなく、もしくは−たとえば比較的頻繁に停止される場合には−省略することさえできるという理由からも好ましくなり得る。特定のブレーキアーキテクチャでは、停止時の測定のときに改善された測定の枠組条件が成立する。たとえばハイブリッド・エレクトリック式のパラレルブレーキシステム（ｈｅｖ−ＩＩ）では、オリフィス穴が閉じられ、ブレーキングの最初にアイドルストローク決定が成功裡に完了し、フロントアクスルでの容積ブレンドおよび／またはコントローラ介入が行われないことが要請されることがあり得る；これに関しては、たとえば下記の（図面の説明における）さらなる説明を参照。このような枠組条件は、どちらかというと車両の停止時に満たすことができる。
【００３０】
１つの実施形態では、ヒステリシスを含めた一式のペダル特性曲線を記録することができる。ヒステリシスは多くの現実の液圧ブレーキシステムで発生し得る。したがってこの現象を反映させることは、現実的なペダル感覚のための別の１つの要素となる。
【００３１】
１つの実施形態では、ブレーキペダル特性曲線の測定は、車両が停止しているときのブレーキペダル特性曲線の測定にあたって、車両が動いているときの測定に対するシステム上の差異を考慮する。これらの相違する測定での相違は上に詳細に説明している。
【００３２】
１つの実施形態では、本方法は次の別のステップを有する：
−測定されたブレーキペダル特性曲線と保存されているブレーキペダル特性曲線の間の差異が決定され、
−差異に依存してブレーキシステムの操作の事前定義された回数が変更される。
【００３３】
測定されたブレーキペダル特性曲線と保存されているブレーキペダル特性曲線の間の差異は、たとえば多数の測定点を参照して、および／または両方のペダル特性曲線のアイドルストロークと剛性係数の比較によって決定することができる。測定シリーズをベースとして差異を分析することもできる。測定シリーズは時間推移も考慮に入れることができる。１つの差異ないし複数の差異の分析に基づき、およびまたはこれに依存して、ブレーキシステムの操作の事前定義された回数が変更される。たとえば、大きい差異および／または差異の急な増大は、ブレーキシステムの操作の回数の低減につながり得る。このような変更についての閾値は、車両固有および／またはハードウェア固有に規定することができる。差異が変更につながることがない許容範囲を設けることもできる。このような許容範囲を上回り、現実の特性曲線と格納されている特性曲線の間の相違が、ハードウェア損傷および／またはＮＶＨ問題のリスクの高まりが生じるほど大きくなったとき、このことはブレーキシステムの操作の回数の低減につながり、それにより、ブレーキペダル特性曲線の測定が可能な限りすみやかに再び実行ないし強制される。
【００３４】
１つの実施形態では、ブレーキシステムのパラメータの長期的な変化は、短期的な変化よりも強く考慮される。ブレーキシステムのパラメータはたとえばブレーキパッドの厚み、ブレーキパッドの材質、液圧コンポーネントのブレーキ液の量、および／または液圧系の組付（たとえば取付位置）であり得る。
【００３５】
ブレーキシステムの長期的な変化は、たとえばライン生産以降の車両誤差、ブレーキシステムの経年劣化、摩耗などによって引き起こされ得る。短期的な変化は、たとえば温度、フェーディングなどによって引き起こされ得る。短期的な変化はしばしば車両の他のシステムによって補われる。ブレーキペダル特性曲線の急すぎる、および／または大きすぎる変更は、ハードウェア損傷および／またはＮＶＨ問題のリスクの高まりにつながりかねない。長期的な変化を強く考慮することは、たとえば測定のシリーズの比較によって、および／または停止時の測定をより強く重みづけすることによって実現することができる。
【００３６】
別の態様は、以上および／または以下に説明する方法を実施するためにセットアップされた車両の制御装置に関する。
【００３７】
別の態様は、上に説明した制御装置を有する車両に関する。
【００３８】
別の態様は、以上および／または以下に説明する、車両のブレーキペダル特性曲線を決定するための、本方法の利用法に関する。
【００３９】
別の態様は、上で説明した制御装置で実行されたときに、上で説明した方法を実施するように制御装置に指示するプログラム要素に関する。
【００４０】
別の態様は、上に説明したプログラム要素が保存されているコンピュータ読み取り可能な媒体に関する。
【００４１】
次に、本発明を改良するさらに別の方策について、本発明の好ましい実施例の説明とともに図面を参照しながら詳しく説明する。
【図面の簡単な説明】
【００４２】
【図１】１つの実施形態に基づく車両を示す模式図である。
【図２】１つの実施形態に基づくブレーキペダル特性曲線を示す模式図である。
【図３】１つの実施形態に基づく剛性決定をする装置を示す模式図である。
【図４】１つの実施形態に基づくブレーキペダル特性曲線の測定を示す模式図である。
【図５】１つの実施形態に基づく方法を示す模式図である。
【図６】１つの実施形態に基づく別の方法を示す模式図である。
【発明を実施するための形態】
【００４３】
図１は、１つの実施形態に基づく車両１０の模式図を示している。この車両は、ブレーキシステム２５の制御部３５を有している。制御部３５は、ブレーキシステム２５を操作するためのブレーキペダル１２によって制御され、ブレーキシステム２５は、車両１０のためのブレーキ作用を生成するためにセットアップされている。ブレーキペダル１２はブレーキペダルシミュレータ１４を有していて、これに対してブレーキペダル特性曲線３０（図２参照）が適用される。ブレーキシステム２５は４つの摩擦ブレーキ２０を有していて、これらは電気機械式のアクチュエータ２１と、それぞれ１つの液圧コンポーネント２２−ここではブレーキ配管として模式的に示す−によって液圧接続されている。さらにブレーキシステム２５は、同じく制御部３５により制御される回生ブレーキ１５を有している。制御部３５は、たとえばブレーキペダル特性曲線３０を保存することができる記憶装置３７を有している。ブレーキングのときに車両１０のためのブレーキ作用を生成するために、回生ブレーキ１５だけを使用することができ、または摩擦ブレーキ２０だけを使用することができ、またはこれら両方の部分ブレーキシステム１５および２０を原則として自由に選択可能な比率で使用することができる。
【００４４】
図２は、１つの実施形態に基づくブレーキペダル特性曲線３０，３１の模式図を示している。ここではブレーキペダル特性曲線３０は、電気機械式のアクチュエータ２１のストロークに依存する、液圧コンポーネント２２の圧力の関数である（図１参照）。ｙ軸には液圧コンポーネント２２における圧力ｐが、ｘ軸の電気機械式のアクチュエータ２１のストロークｓに依存して表示されている。圧力ｐは−ブレーキシステムの実施形態に応じて−追加または代替として、ブレーキペダル１２により制御される、および／または機械的に連結される主シリンダ（マスタシリンダ）の圧力を考慮することができる。示している図２では、第１のブレーキペダル特性曲線３０が測定されたブレーキペダル特性曲線３１と対比されている。両方のブレーキペダル特性曲線の間でアイドルストロークｓ０と剛性ｆの変化を明らかに認めることができる。ブレーキペダル特性曲線３０，３１の測定のために、複数回の個別測定−およびそれに伴ってブレーキング−が必要となり得る。
【００４５】
図３は、１つの実施形態に基づく剛性決定をする装置５０の模式図を示している。入力部５１には、液圧コンポーネント２２（図１参照）の圧力ｐと、電気機械式のアクチュエータ２１のストロークｓが入力データとして印加される。圧力ｐとストロークｓ（図２参照）は、剛性ｆの（新規）決定のためにコンポーネント５２で利用される。ストロークｓと剛性ｆは、アイドルストロークｓ０の見積りのために利用される。アイドルストロークｓ０はおよそ０から６ｍｍであり得る。アイドルストロークｓ０はブレーキペダル特性曲線３０とともに、目標圧力ｐ＊の決定のために利用される。さらにブレーキペダル特性曲線３０は、たとえば妥当性のない測定を破棄するために、剛性ｆの決定にも取り入れられる。目標圧力ｐ＊と剛性ｆは、仮想的な目標圧力ｐｖの決定のために利用される。仮想的な目標圧力ｐｖと圧力ｐが、トランジションロジック５４に伝送される。トランジションロジック５４は、液圧式のブレーキングから回生式のブレーキへの移行およびこれと逆の移行が運転者にほとんど、またはまったく感知可能でないように作用する。これに加えてトランジションロジック５４は信号「ブレンディングモード」ｂを考慮することができ、これによって純粋に液圧式に（すなわち摩擦ブレーキ２０のみによって）ブレーキがかけられるべきか（もしくはかけられるか）、それとも発電機によって（回生ブレーキ１５によって）ブレーキングが補助されるかが調整される。さらにトランジションロジック５４は、ブレーキペダル運動５６を考慮することができ、これによりブレーキペダル１２の運動の動的な側面が制御部に取り入れられる。その結果として、トランジションロジック５４は目標減速ｔｄを供給する。これが仮想的な目標圧力ｐｖとともに装置５０の出力部５９に印加される。
【００４６】
図４は、１つの実施形態に基づくブレーキペダル特性曲線３０の測定プロセスのグラフ６０を示している。ここでは、ブレーキペダル１２により制御される、および／または機械的に連結されている主シリンダ（マスタシリンダ）の圧力が考慮される、ブレーキシステムのアーキテクチャが採用される。グラフ６０では、ｘ軸に時間ｔがプロットされており、この時間中にブレーキペダル１２（図１参照）が操作され、その間に測定が実行される。ブレーキペダル１２のストロークｓが、上側の破線の曲線ｓとして表示されており、ブレーキペダル１２の速度ｖが下側の曲線ｖとして表示されている。この実施形態では、（たとえばブレーキ液の）動的効果が測定を使い物にならなくしないようにするために、ブレーキペダル１２の速度ｖが最高速度ｖｍａｘを超えてはならない。測定６２は開始時間ｔｓと終了時間ｔｅの間で行われる。開始時間ｔｓのとき、アイドルストロークｓ０（図３参照）の決定が成功裡に完了していなければならない。開始時間ｔｓの前の時点ｔ０のとき、オリフィス穴が閉じていなければならない。測定６２の間に、（たとえばフロントアクスルでの）容積ブレンドが行われてはならない。容積ブレンドと呼ばれるのは、ブレーキペダル１２のペダル操作によって移送される容積がホイールブレーキキャリパに送られるのでなく別の場所に蓄えられ、それに伴って液圧ブレーキトルクの生成を防止し、そのようにして利用できる発電機トルクを完全に利用するプロセスである。さらに、コントローラ介入（Ｃｏｎｔｒｏｌｌｅｒ−Ｉｎｔｅｒｖｅｎｔｉｏｎ、たとえばＡＢＳによる）が行われてはならない。
【００４７】
図５は、１つの実施形態に基づく方法の模式図をフローチャート８０として示している。ステップ８１で、ブレーキペダル特性曲線３０（図２参照）の測定が実行される。ブレーキペダル特性曲線３０の測定は、たとえば事前定義された回数のブレーキシステム２５の操作（および／またはその他の動的に判定される基準）の後に実行される。測定は電気機械式のアクチュエータ２１によって行われる。いくつかの実施形態では、ブレーキペダル１２により制御される、および／または機械的に連結されている主シリンダ（マスタシリンダ）の圧力が代替的また追加的に考慮される、ブレーキシステムのアーキテクチャが利用される。測定時には、ブレーキ作用の少なくとも１つの部分が摩擦ブレーキ２０によって生成される。ステップ８２で、測定されたブレーキペダル特性曲線３１が記憶装置に保存される。たとえばブレーキペダル特性曲線３１を車両の制御システムに格納することができ、それに伴い、回生ブレーキが関与するブレーキングのときにも利用することができる。たとえば測定が不安定なときや完全でないときには、測定された各々のブレーキペダル特性曲線を保存しないのが有意義であり得る。ステップ８３で、それまでブレーキシステムで使用されていたブレーキペダル特性曲線が、測定されたブレーキペダル特性曲線によって置き換えられる。その際に、測定されたブレーキペダル特性曲線への置き換えについての事前定義された基準を適用することができる。たとえば、それまで使用されていたブレーキペダル特性曲線からの大きい逸脱は妥当性がないとして破棄することができる。
【００４８】
図６は、１つの実施形態に基づく別の方法の模式図をフローチャート１００として示している。この方法はステップ１０１で開始される。ステップ１０２で、車両１０（図１参照）が停止しているか動いているかがチェックされる。車両１０が停止しているとき、ステップ１０３で、上で詳細に説明したように停止時の測定が実行される。その際には、たとえば電気機械式のアクチュエータが制御され、そのようにして停止時にブレーキングを実行し、そのときに測定を実行し、場合により保存する。１つの実施形態では、停止時のブレーキペダル特性曲線の測定を、事前定義された回数のブレーキシステムの操作に関わりなく−かつ、たとえば測定がなされなかったブレーキングの回数を計数するカウンタのレベルにも関わりなく−実行することもできる。このような停止時の測定では、運転者は車両１０の外にいることができる。ステップ１０４で、測定が特定の基準を満たしているか（上記参照）、それとも測定を破棄しなければならないかがチェックされる。測定が成功したと判断されると、ステップ１０５で、それまでブレーキシステムで使用されていたブレーキペダル特性曲線が測定されたブレーキペダル特性曲線で置き換えられ、カウンタがゼロにセットされる。引き続きステップ１１４で方法を終了することができ、またはステップ１０１であらためて開始することができる。
【００４９】
車両１０が停止していないとき、ステップ１０６で、車両１０の新規始動が行われたか否かがチェックされる。イエスであれば、ステップ１０７でカウンタが読み込まれる。引き続きステップ１０８で、カウンタが事前定義された値を上回っているか否かがチェックされる。イエスであれば、ステップ１０９で次回のブレーキングのときに摩擦ブレーキ２０（図１参照）の関与が強制され、および／または次回のブレーキングが摩擦ブレーキ２０のみによって実行される。その後にステップ１１２で、それまでブレーキシステムで使用されていたブレーキペダル特性曲線が測定されたブレーキペダル特性曲線によって置き換えられ、カウンタがゼロにセットされる。ステップ１０８で、カウンタが事前定義された値をまだ上回っていないことが確認されると、ステップ１１０で「通常の」ブレーキングが実行される。ステップ１１０で、このブレーキング中にブレーキペダル特性曲線の測定が首尾よく行われたときは、ステップ１１２で、それまでブレーキシステムで使用されていたブレーキペダル特性曲線が測定されたブレーキペダル特性曲線によって置き換えられ−ないしは複数の小さいステップで適合化され（「穏やかな」もしくは「漸増式の」変更）−カウンタがゼロにセットされる。そうでない場合、ステップ１１３でカウンタが増分される。引き続きステップ１１４で方法が終了され、またはステップ１０１であらためて開始される。
【符号の説明】
【００５０】
１０  車両
１２  ブレーキペダル
１５  回生ブレーキ
２０  摩擦ブレーキ
２１  電気機械式のアクチュエータ
２２  液圧コンポーネント
２５  ブレーキシステム
２７  不揮発性メモリ
３０  測定されたブレーキペダル特性曲線
３１  保存されているブレーキペダル特性曲線
３３  差異
３５  制御装置
３７  不揮発性メモリ
【図１】
2020185984.tif 000003
【図２】
2020185984.tif 000004
【図３】
2020185984.tif 000005
【図４】
2020185984.tif 000006
【図５】
2020185984.tif 000007
【図６】
2020185984.tif 000008
【外国語明細書】
2020185984000001.pdf